(57)【要約】【課題】水道水を用いたおしゃれ着の洗浄における、褪色防止効果が高く、被洗浄物の変形・変質防止効果が高いおしゃれ着用洗浄剤組成物、及びおしゃれ着の洗浄方法の提供。【解決手段】（ａ）非イオン性界面活性剤、（ｂ）モノエタノールアミン、（ｃ）分子量１００〜５００のカルボン酸、及び（ｄ）アミノ変性シリコーンを含有する、ＪＩＳ  Ｋ３３６２：１９９８記載の方法による２０℃における０．１質量％水溶液のｐＨが６〜８である、おしゃれ着用洗浄剤組成物、並びに水道水に、このおしゃれ着用洗浄剤組成物を０．０５〜０．５質量％溶解させた洗浄剤水溶液を、被洗浄物１質量部に対して、５〜２０質量部用いて洗浄するおしゃれ着の洗浄方法。【選択図】  なし【特許請求の範囲】
【請求項１】
（ａ）非イオン性界面活性剤、（ｂ）モノエタノールアミン、（ｃ）分子量１００〜５００のカルボン酸、及び（ｄ）アミノ変性シリコーンを含有する、ＪＩＳ  Ｋ３３６２：１９９８記載の方法による２０℃における０．１質量％水溶液のｐＨが６〜８である、おしゃれ着用洗浄剤組成物。
【請求項２】
蛍光増白剤を実質的に含有しない請求項１記載のおしゃれ着用洗浄剤組成物。
【請求項３】
酵素を実質的に含有しない請求項１又は２記載のおしゃれ着用洗浄剤組成物。
【請求項４】
（ａ）非イオン性界面活性剤が、界面活性剤総量の５０質量％以上である請求項１〜３何れか記載のおしゃれ着用洗浄剤組成物。
【請求項５】
（ｃ）成分が、アスパラギン酸、マレイン酸、酒石酸、クエン酸、リンゴ酸、ジグリコール酸、イミノ二酢酸から選ばれる１種以上である請求項１〜４何れか記載のおしゃれ着用洗浄剤組成物。
【請求項６】
（ｄ）成分が、一般式（Ｉ）又は(II)で表される化合物から選ばれる少なくとも１種である請求項１〜５何れか記載のおしゃれ着用洗浄剤組成物。
【化１】
2004204157.tif 000009
［式中、
Ｒ：炭素数１〜４のアルキル基、ヒドロキシ基又は炭素数１〜４のアルコキシ基を示す。
Ｒ1：炭素数１〜４のアルキル基を示し、複数個のＲ1は同一でも異なっていてもよい。
【化２】
2004204157.tif 000010
ｃは１〜６の整数、ｄは０〜３０の数、Ｒ4は炭素数６〜１８のアルキル基を示す。
ｍ，ｎ：化合物の分子量が２０００〜１５００００、アミン当量が１０００〜２００００になるような数である。］
【化３】
2004204157.tif 000011
［式中、
Ｒ：前記と同じ意味を示す。
Ｒ5：炭素数１〜４のアルキル基を示し、複数個のＲ5は同一でも異なっていてもよい。
Ｄ：下記（イ）で表される基、又は（イ）及び（ロ）で表される基であり、後者の場合、Ｄ中の（ロ）の割合は５０モル％以下である。
【化４】
2004204157.tif 000012
（ここで、ａ、ｂ及びＲ5は前記と同じ意味を示し、Ｒ6は水素原子又は炭素数１〜４のアルキル基、ｈは１〜６の数、ｉは１〜２０の数、ｊは０〜２０の数、Ｒ7は炭素数１〜１８のアルキル基を示す。）
Ｅ：−（ＣＨ2）a−Ｏ−（Ｃ2Ｈ4Ｏ）x−（Ｃ3Ｈ6Ｏ）y−Ｒ8又は−Ｒ5で示される基である。ここで、ａ及びＲ5は前記と同じ意味を示し、Ｒ8は炭素数１〜１０のアルキル基、ｘは１〜２０の数、ｙは０〜２０の数を示す。
ｅ，ｆ，ｇ：ｅは１００〜６００の数、ｆ及びｇは、ｅ：ｆ＝１００：１〜１０：１、且つｆ：ｇ＝１：１０〜１０：１となる数である。］
【請求項７】
（ｂ）成分と（ｃ）成分の質量比が、２／１〜１／２である請求項１〜６何れか記載のおしゃれ着用洗浄剤組成物。
【請求項８】
水道水に、請求項１〜７何れか記載のおしゃれ着用洗浄剤組成物を０．０５〜０．５質量％溶解させた洗浄剤水溶液を、被洗浄物１質量部に対して、５〜２０質量部用いて洗浄するおしゃれ着の洗浄方法。
【発明の詳細な説明】
【０００１】
【発明の属する技術分野】
本発明は、おしゃれ着用洗浄剤組成物、及びおしゃれ着の洗浄方法に関する。
【０００２】
【従来の技術】
おしゃれ着の洗浄における所有者の要求は多岐にわたり高く、洗浄力は元より、洗浄操作による被洗浄物の型崩れ、色合い、風合い等の変化がないこと、洗浄後の匂いといった点の要求が高い。
【０００３】
これらの要求に応えるために、洗濯機においては、低攪拌力のおしゃれ着用洗濯コースが開発され、洗濯補助具として、洗濯ネットが開発されている。また、つけこみ洗いや、押し洗いといった手洗いが行われている。このように、被洗浄物の型崩れを起こしにくい低機械力の洗濯条件で洗浄力を向上させることが課題となっている。
【０００４】
洗浄処理後の脱水、乾燥方法によっても、被洗浄物の型崩れ（特にしわ、縮み）が発生するため、取り扱いに注意を必要とする。また、脱水を行わずに陰干しによる乾燥が型崩れ防止には有効であるが、乾燥までに長時間を要するために、残留する水道水中の塩素イオンの増加に伴う被洗浄物の褪色の問題や、洗浄が不充分であれば匂いの問題があった。
【０００５】
おしゃれ着の洗浄に用いる水は、風呂の残り湯や井戸水を用いることは極めて稀であり、一般には水道水を用いる。水道水には衛生面から次亜塩素酸イオンが使用されており、水道水の管理法令では利用者末端で有効塩素が０．１ｐｐｍ以上残留することとされている。この残留塩素により、着色した被洗浄物の褪色が問題となっている。
【０００６】
これらの問題に対して洗浄剤組成物としては、特定のアミノ変性シリコーンアミドを用いた衣類の縮み防止性に優れた洗浄剤（例えば、特許文献１、２、３参照）、特定の非イオン性界面活性剤の組合せとアルカノールアミンを含有する褪色防止性に優れた洗浄剤（例えば、特許文献４参照）、非イオン性界面活性剤及び陽イオン性界面活性剤を含有する洗浄剤による縮み及びしわを防止した洗浄方法（例えば、特許文献５参照）、非イオン性界面活性剤及び／又は陰イオン性界面活性剤と繊維保護剤で洗浄した後にシリコーンを含有する水性仕上げ剤で処理する型崩れ、しわ、縮みを防止した洗浄方法（例えば、特許文献６参照）等が知られている。これらの技術は部分的には使用者の要求を満たすが、課題として挙げる全ての問題を解決するわけではない。また、これらの技術を組み合わせても使用者の要求を十分に満足させることはできない。
【０００７】
【特許文献１】
特開平３−２０７７９８号公報
【特許文献２】
特開平５−２３９４９３号公報
【特許文献３】
特開平９−６７５９４号公報
【特許文献４】
特開平１１−２４１０９２号公報
【特許文献５】
特表２００１−５２６７４１号公報
【特許文献６】
特開平１０−１５８６９３号公報
【０００８】
【発明が解決しようとする課題】
本発明の課題は、水道水を用いたおしゃれ着の洗浄における、褪色防止効果が高く、被洗浄物の変形・変質防止効果が高いおしゃれ着用洗浄剤組成物、及びおしゃれ着の洗浄方法を提供することである。
【０００９】
【課題を解決するための手段】
本発明は、（ａ）非イオン性界面活性剤、（ｂ）モノエタノールアミン、（ｃ）分子量１００〜５００のカルボン酸、及び（ｄ）アミノ変性シリコーンを含有する、ＪＩＳ  Ｋ３３６２：１９９８記載の方法による２０℃における０．１質量％水溶液のｐＨが６〜８である、おしゃれ着用洗浄剤組成物、並びに水道水に、このおしゃれ着用洗浄剤組成物を０．０５〜０．５質量％溶解させた洗浄剤水溶液を、被洗浄物１質量部に対して、５〜２０質量部用いて洗浄するおしゃれ着の洗浄方法に関するものである。
【００１０】
【発明の実施の形態】
［おしゃれ着用洗浄剤組成物］
本発明のおしゃれ着用洗浄剤組成物は、上記（ａ）成分、（ｂ）成分、（ｃ）成分、及び（ｄ）成分を含有し、被洗浄物の変形・変質防止の点で、ＪＩＳ  Ｋ３３６２：１９９８記載の方法による２０℃における０．１質量％水溶液のｐＨが６〜８であり、ｐＨ６．５〜８が好ましく、７〜７．８がより好ましく、７〜７．６が更に好ましい。
【００１１】
本発明のおしゃれ着用洗浄剤組成物は、錠剤、粉末、ペースト、液体等のいずれの形態でも良いが、溶解性の点で液体が好ましい。本発明のおしゃれ着用洗浄剤組成物が液体である場合、２０℃における粘度は、取り扱いの容易さの点で５〜４００ｍＰａ・ｓが好ましく、１０〜１００ｍＰａ・ｓがより好ましく、１０〜５０ｍＰａ・ｓが更に好ましい。粘度調整剤によりこのような範囲になるように調整することが好ましい。なお、これらの粘度は、Ｂ型粘度計（（株）東京計器製、VISCOMETER MODEL DVM-B）を用い、回転数６０ｒ／ｍｉｎ、測定時間６０秒の条件で測定されたものである。
【００１２】
粘度調整剤としては、減粘剤としてエタノール、メタノール、プロパノール、グリセリン、エチレングリコール、プロピレングリコール等の炭素数１〜４の低級アルコール、トルエンスルホン酸（塩）、キシレンスルホン酸（塩）等を用いることができ、増粘剤として水溶性高分子、無機電解質を用いることができる。水溶性高分子としては、ポリマレイン酸、ポリイタコン酸、ビニルメチルエーテル−無水マレイン酸共重合物、ポリプロピレングリコール（分子量１００〜１０００）等が挙げられる。無機電解質としては、硫酸ナトリウム、塩化ナトリウム、塩化カリウム等が挙げられる。
【００１３】
本発明のおしゃれ着用洗浄剤組成物が液体である場合、保存安定性向上の点で溶存酸素濃度を５ｐｐｍ以下にすることが好ましく、３ｐｐｍ以下がより好ましく、１ｐｐｍ以下が更に好ましい。組成物中の溶存酸素を低下させるために、配合時や貯蔵時に配合槽や貯槽を減圧しても良いし、気体透過性・液体不透過性の隔膜の片側に組成物を流し、他の側を減圧することにより溶存酸素を低下させても良いし、チッソガス等の不活性ガスにより置換しても良い。
【００１４】
［（ａ）成分］
本発明のおしゃれ着用洗浄剤組成物は（ａ）成分として、非イオン性界面活性剤を含有する。組成物中の（ａ）成分の含有量は、被洗浄物の変形・変質防止、洗浄性能、溶解性の点で、１０〜６０質量％が好ましく、１２〜５０質量％がより好ましく、１４〜４８質量％が更に好ましく、１６〜４５質量％が特に好ましい。
【００１５】
非イオン性界面活性剤としては、炭素数８〜２０の脂肪族アルコール、炭素数１０〜２２の脂肪酸及びそのアルキルエステル、炭素数８〜２０の脂肪族アミン等の、非共有電子対を持つ原子を１つ以上有する化合物にエチレンオキサイド、プロピレンオキサイド等のアルキレンオキサイドを常法に従い付加させたもの、糖由来のポリオールを親水基とするもの、アミンオキサイドあるいは脂肪酸アミド系のもの等が挙げられる。中でも、洗浄性能や経済性の点でポリアルキレングリコールアルキル又はアルケニルエーテルが好ましく、一般式(III)又は(IV)で表される非イオン性界面活性剤から選ばれるものがより好ましく、一般式(III)で表される非イオン性界面活性剤が更に好ましい。
【００１６】
Ｒ11Ｏ（ＥＯ）pＨ              (III)
［式中、Ｒ11は平均炭素数８〜２０、好ましくは１０〜１８の直鎖もしくは分岐鎖アルキル基又はアルケニル基を示す。ＥＯはエチレンオキシ基であり、ｐはエチレンオキサイドの平均付加モル数を示す２〜２０の数である。］
Ｒ12Ｏ（ＥＯ）q／（ＰＯ）rＨ    (IV)
［式中、Ｒ12は平均炭素数８〜２０、好ましくは１０〜１８の直鎖もしくは分岐鎖アルキル基又はアルケニル基を示す。ＥＯはエチレンオキシ基、ＰＯはプロピレンオキシ基を示す。ｑはエチレンオキサイドの平均付加モル数を示す５〜１５の数、ｒはプロピレンオキサイドの平均付加モル数を示す１〜５の数である。ＥＯとＰＯはランダム付加又はＥＯを付加した後、ＰＯを付加してもよく、またその逆のようなブロック付加体でもよい。］
一般式(IV)で表される非イオン性界面活性剤の中で、特に一般式(IV−１)で表される非イオン性界面活性剤を用いることで、エリ・そで口汚れに対する高洗浄力を得ることができる。
【００１７】
Ｒ13Ｏ（ＥＯ）s（ＰＯ）t（ＥＯ）uＨ    (IV−１)
［式中、Ｒ13は炭素数８〜２０の直鎖のアルキル基又はアルケニル基を示し、ＥＯ及びＰＯは前記の意味を示す。ｓ、ｔ及びｕはそれぞれエチレンオキサイド又はプロピレンオキサイドの平均付加モル数を示し、ｓ＞０、ｔ＝１〜４、ｕ＞０、ｓ＋ｔ＋ｕ＝６〜１４、ｓ＋ｕ＝５〜１２であり、好ましくはｓ＋ｔ＋ｕ＝７〜１４、ｓ＋ｕ＝６〜１２、ｔ＝１〜２である。］
非イオン性界面活性剤としては、上記に示したもの以外に、一般式（Ｖ）で表されるアルキル多糖界面活性剤、また、一般式(VI)で表されるアミンオキサイド、更に脂肪酸アルカノールアミド、ポリヒドロキシ脂肪酸アミド等が使用できる。
【００１８】
Ｒ14−（ＯＲ15）vＧw        （Ｖ）
［式中、Ｒ14は直鎖又は分岐鎖の炭素数８〜１８のアルキル基、アルケニル基、又はアルキルフェニル基、Ｒ15は炭素数２〜４のアルキレン基、Ｇは炭素数５又は６の還元糖に由来する残基、ｖは平均値０〜６の数、ｗは平均値１〜１０の数を示す。］
【００１９】
【化５】
2004204157.tif 000002
【００２０】
［式中、Ｒ16は平均炭素数８〜２０、好ましくは１２〜１８の直鎖もしくは分岐鎖アルキル基又はアルケニル基、あるいはＲ19Ｃ（＝Ｏ）ＮＨ（ＣＨ2）z−（Ｒ19は平均炭素数８〜２０、好ましくは１２〜１８のアルキル基又はアルケニル基、ｚは１〜５の数である）で示される基である。またＲ17及びＲ18は、それぞれメチル基、エチル基又はヒドロキシエチル基である。］
［（ｂ）成分］
本発明のおしゃれ着用洗浄剤組成物は、（ｂ）成分としてモノエタノールアミンを含有する。組成物中の（ｂ）成分の含有量は、被洗浄物の変形・変質防止、褪色防止の点で、０．１〜１０質量％が好ましく、０．２〜８質量％がより好ましく、０．４〜６質量％が更に好ましく、０．６〜４質量％が特に好ましい。
【００２１】
［（ｃ）成分］
本発明のおしゃれ着用洗浄剤組成物は、（ｃ）成分として分子量１００〜５００のカルボン酸を含有する。組成物中の（ｃ）成分の含有量は、被洗浄物の変形・変質防止、褪色防止の点で、０．１〜１０質量％が好ましく、０．２〜８質量％がより好ましく、０．４〜６質量％が更に好ましく、０．６〜４質量％が特に好ましい。
【００２２】
被洗浄物の変形・変質防止、褪色防止の点で、（ｂ）成分と（ｃ）成分の質量比は、２／１〜１／２が好ましく、１０／６〜６／１０がより好ましく、１０／８〜８／１０が更に好ましい。
【００２３】
被洗浄物の変形・変質防止、褪色防止の点で、（ｃ）成分の分子量は１００〜４００が好ましく、１００〜２５０がより好ましい。
【００２４】
（ｃ）成分としては、アスパラギン酸、マレイン酸、酒石酸、クエン酸、リンゴ酸、ジグリコール酸、イミノ二酢酸から選ばれる１種以上が好ましく、中でもクエン酸が好ましい。
【００２５】
［（ｄ）成分］
本発明のおしゃれ着用洗浄剤組成物は（ｄ）成分としてアミノ変性シリコーンを含有する。組成物中の（ｄ）成分の含有量は、被洗浄物の変形・変質防止、褪色防止の点で、０．１〜１０質量％が好ましく、０．２〜５質量％がより好ましく、０．３〜３質量％が更に好ましい。
【００２６】
（ｄ）成分としては、ジメチルポリシロキサンのメチル基の一部をアミノ基を含む有機基に置換した構造である化合物等が挙げられる。中でも一般式（Ｉ）又は(II)で表される化合物から選ばれる少なくとも１種が好ましく、特に一般式（II）で表される化合物が好ましい。
【００２７】
【化６】
2004204157.tif 000003
【００２８】
［式中、
Ｒ：炭素数１〜４のアルキル基、ヒドロキシ基又は炭素数１〜４のアルコキシ基を示し、メチル基が好ましい。
Ｒ1：炭素数１〜４のアルキル基を示し、複数個のＲ1は同一でも異なっていてもよく、メチル基が好ましい。
【００２９】
【化７】
2004204157.tif 000004
【００３０】
ｃは１〜６、好ましくは２〜４の整数、ｄは０〜３０、好ましくは１〜３０、より好ましくは１〜１０の数、Ｒ4は炭素数６〜１８のアルキル基を示す。
ｍ，ｎ：化合物の分子量が２０００〜１５００００、アミン当量が１０００〜２００００になるような数である。］
【００３１】
【化８】
2004204157.tif 000005
【００３２】
［式中、
Ｒ：前記と同じ意味を示す。
炭素数１〜４のアルキル基、ヒドロキシ基又は炭素数１〜４のアルコキシ基を示す。
Ｒ5：炭素数１〜４のアルキル基を示し、複数個のＲ5は同一でも異なっていてもよい。
Ｄ：下記（イ）で表される基、又は（イ）及び（ロ）で表される基であり、後者の場合、Ｄ中の（ロ）の割合は５０モル％以下である。
【００３３】
【化９】
2004204157.tif 000006
【００３４】
（ここで、ａ、ｂ及びＲ5は前記と同じ意味を示し、Ｒ6は水素原子又は炭素数１〜４のアルキル基、ｈは１〜６の数、ｉは１〜２０の数、ｊは０〜２０の数、Ｒ7は炭素数１〜１８のアルキル基を示す。）
Ｅ：−（ＣＨ2）a−Ｏ−（Ｃ2Ｈ4Ｏ）x−（Ｃ3Ｈ6Ｏ）y−Ｒ8又は−Ｒ5で示される基である。ここで、ａ及びＲ5は前記と同じ意味を示し、Ｒ8は炭素数１〜１０のアルキル基、ｘは１〜２０の数、ｙは０〜２０の数を示す。
ｅ，ｆ，ｇ：ｅは１００〜６００の数、ｆ及びｇは、ｅ：ｆ＝１００：１〜１０：１、且つｆ：ｇ＝１：１０〜１０：１となる数である。］
［その他成分］
本発明のおしゃれ着用洗浄剤組成物は、被洗浄物の変質防止の点で、蛍光増白剤を実質的に含有しないことが好ましい。蛍光増白剤としては、ビフェニル型、アミノスチルベン型等が挙げられる。
【００３５】
本発明のおしゃれ着用洗浄剤組成物は、被洗浄物の変質防止の点で、酵素を実質的に含有しないことが好ましい。酵素としては、プロテアーゼ、リパーゼ、セルラーゼ、アミラーゼ等が挙げられる。
【００３６】
本発明のおしゃれ着用洗浄剤組成物が液体である場合、水を含有することが好ましい。組成物中の水の含有量は、溶解性、取り扱いの容易性の点で、５０〜８８質量％が好ましく、５５〜８６質量％がより好ましく、６０〜８４質量％が更に好ましく、６５〜８０質量％が特に好ましい。
【００３７】
本発明のおしゃれ着用洗浄剤組成物は、（ａ）成分の非イオン性界面活性剤以外の界面活性剤を含有しても良い。これらの界面活性剤としては、ＪＩＳ  Ｋ３３６２：１９９８に記載されている、陰イオン性界面活性剤、陽イオン性界面活性剤、両性界面活性剤等が挙げられる。本発明の組成物中の界面活性剤総量は、被洗浄物の変形・変質防止、洗浄性能、溶解性の点で、１０〜６０質量％であることが好ましい。また、（ａ）成分の含有量が、界面活性剤総量の５０質量％以上であることが好ましく、７０質量％以上がより好ましく、９０質量％以上が更に好ましい。
【００３８】
本発明のおしゃれ着用洗浄剤組成物が液体である場合、洗浄性能、液物性の点で親水性溶剤（以下（ｅ）成分という）を含有することが好ましい。（ｅ）成分の含有量は、０．１〜２０質量％が好ましく、０．５〜１０質量％が更に好ましく、１〜５質量％が特に好ましい。
【００３９】
（ｅ）成分としては、一般式(VII)で表される化合物、分子量４００〜５０００のポリアルキレングリコール、炭素数１〜４の低級アルコールから選ばれる１種以上が好ましい。
【００４０】
Ｒ9Ｏ｛（Ｃ2Ｈ4Ｏ）m1（Ｃ3Ｈ6Ｏ）m2｝Ｈ      (VII)
［式中、Ｒ9は炭素数１〜８のアルキル基又はアリール基、m1及びm2は各々０〜６の数であり、両者が同時に０になることはなく、｛  ｝内はm1及びm2が０より大きいときに、オキシエチレン基とオキシプロピレン基がランダム状及び／又はブロック状に結合しているポリオキシアルキレン鎖である。］
一般式(VII)で表される化合物の具体例としては、エチレングリコールモノブチルエーテル、ジエチレングリコールモノブチルエーテル、プロピレングリコールジエチレングリコールモノブチルエーテル、ジプロピレングリコールエチレングリコールモノブチルエーテル、エチレングリコールモノフェニルエーテル、トリエチレングリコールモノフェニルエーテル等を挙げることができる。
【００４１】
分子量４００〜５０００のポリアルキレングリコールとしては、ポリエチレングリコール、ポリプロピレングリコール等が挙げられ、中でもポリエチレングリコールが好ましい。また洗浄性能、液物性の点で、分子量５００〜４０００のものが好ましく、６００〜３０００のものがより好ましい。
【００４２】
炭素数１〜４の低級アルコールの具体例としては、メタノール、エタノール、プロパノール、イソプロパノール、ブタノール、イソブタノール、グリセリン、エチレングリコール、プロピレングリコール等を挙げることができる。これらの中でも、好ましくはエタノール、プロピレングリコールである。
【００４３】
本発明のおしゃれ着用洗浄剤組成物には、固体粒子汚れの洗浄性能を向上させる観点から、分子量２千〜５万のポリカルボン酸系ポリマー（以下（ｆ）成分という）を含有することが好ましい。組成物中の（ｆ）成分の含有量は、０．０５〜１５質量％が好ましく、０．１〜１２質量％が更に好ましく、０．２〜１０質量％が特に好ましく、０．３〜５質量％が最も好ましい。
【００４４】
本発明のおしゃれ着用洗浄剤組成物にはこれらの他、平均分子量６０００以上のポリエチレングリコール、ナフタレンスルホン酸塩ホルマリン縮合物等の再汚染防止剤及び分散剤、ポリビニルピロリドン等の色移り防止剤、ブチルヒドロキシトルエン、ジスチレン化クレゾール、亜硫酸ナトリウム及び亜硫酸水素ナトリウム等の酸化防止剤を配合することができる。組成物中の再汚染防止剤及び分散剤の配合量は０．０１〜１０質量％が好ましく、色移り防止剤の配合量は０．０１〜１０質量％が好ましく、酸化防止剤の配合量は０．０１〜２質量％が好ましい。更に本発明のおしゃれ着用洗浄剤組成物には、着色剤、香料、抗菌防腐剤や、トルエンスルホン酸又はその塩、キシレンスルホン酸又はその塩等のハイドロトロープ剤等を配合することもできる。
【００４５】
［洗浄方法］
本発明のおしゃれ着の洗浄方法は、水道水に、本発明のおしゃれ着用洗浄剤組成物を０．０５〜０．５質量％溶解させた洗浄剤水溶液を、被洗浄物１質量部に対して、５〜２０質量部用いて洗浄する方法である。被洗浄物の変形・変質防止の点で、水道水に予め本発明のおしゃれ着用洗浄剤組成物を溶解させた水溶液に、被洗浄物を接触させることが好ましい。
【００４６】
被洗浄物の変形・変質防止の点で、洗浄剤水溶液と被洗浄物の接触時間は３０分以下が好ましく、２０分以下がより好ましい。洗浄性能の点で、接触時間は１分以上が好ましく、５分以上がより好ましい。被洗浄物の変形・変質防止、洗浄性能の点で、洗浄温度は５〜４０℃が好ましく、１０〜３０℃がより好ましい。
【００４７】
【実施例】
例中の％は、特記しない限り質量％である。
【００４８】
実施例１〜５、比較例１〜５
表１に示す組成のおしゃれ着用洗浄剤組成物を調製し、得られた組成物を用いて、下記の方法で褪色防止性、変形・変質防止性、防しわ性、保存安定性及び洗浄性能を評価した。その結果を表１に示す。
【００４９】
尚、ｐＨはＪＩＳ  Ｋ３３６２：１９９８記載の方法による２０℃における０．１質量％水溶液のｐＨが、表１に示す所定の値になるように調整した。
【００５０】
＜褪色防止性評価法＞
・試験布の調製
試験布として、木綿ブロード２０２３布を染料Ｃｉｂａｃｒｏｎ  ＢｌｕｅＦ−ＧＦＮ（チバスペシャリティケミカルズ社製）５％水溶液で染色した布を用いた。
【００５１】
・褪色防止性の評価
予め水道水（有効塩素量１．５ｐｐｍ、水温２０℃）１Ｌに洗浄剤組成物１．３ｇを溶解し洗浄液を調製した。次に、試験布を５ｃｍ×５ｃｍに裁断し、５枚１組をターゴトメータ１００ｒ／ｍｉｎで、洗浄液にて洗浄時間１０分間で洗浄し、排水後、水道水１Ｌですすぎを５分間行い、更に排水後、同様の水１Ｌですすぎを５分間行った。その後、試験布を乾燥させた。この操作を５回繰り返し、洗浄前の試験布と比較して以下の基準で褪色防止性を評価した。
○：同等の色合いであった。
△：やや褪色が見られる。
×：褪色が見られる。
【００５２】
＜変形・変質防止性評価法＞
・洗浄処理
全自動洗濯機（松下電機産業株式会社製；ＮＡ−Ｆ６０Ｋ２型）を用いて、市販ウールセーター（UNITED COLOR OF BENETTON社製、婦人用Ｌサイズ、毛１００％）１枚を洗濯ネットに入れ、手洗いコースで洗濯を行った。洗浄液は、洗浄剤組成物濃度０．１３質量％とし、水温２０℃、水道水（有効塩素量１．５ｐｐｍ）を用いて予め調製し使用した。洗濯終了後は、平干しにより乾燥を行った。以上の処理を５回繰り返した。
【００５３】
・変形・変質防止性の評価
上記方法で洗浄処理したウールセーターを２０℃／６５％ＲＨの恒温恒湿室にて２４時間静置した。これらのセーターについて未洗浄品と比較することにより、型崩れ等の変形、風合い等の変質を以下の基準で評価した。
○：変形・変質が認められない。
△：変形・変質がやや認められる。
×：変形・変質があきらかに認められる。
【００５４】
＜防しわ性評価法＞
市販のＹシャツ（商品名：形態安定シャツ  ＥＣＯＳＹＳ  ２８℃  ポリエステル／綿＝５０／５０）を予め全自動洗濯機（松下電器産業（株）製  ＮＡ−Ｆ５０Ｋ１  やさしい愛妻号  標準コース）を用いて６０回繰り返し洗濯したものを防しわ性評価用Ｙシャツとした。このＹシャツ１０枚と、洗浄剤組成物４０ｇとを洗濯機内に投じ，３０Ｌの水道水中で５分間撹拌した。処理後のＹシャツを室内で風乾した後、しわの取れ具合を以下の基準で評価した。
○：ほとんどしわがない
△：わずかにしわが残っている
×：しわが残っている
＜保存安定性評価法＞
洗浄剤組成物を４０℃に２０日間保存し、洗浄剤組成物の色の変化を観察し、以下の基準で評価した。
○：変色が認められない。
△：変色がやや認められる。
×：変色があきらかに認められる。
【００５５】
＜洗浄性能評価法＞
・人工汚垢布の調製
四塩化エチレン７５Ｌに、下記に示す組成の有機汚垢を１５３１．２ｇ、及び同じく下記に示す組成のカーボンペースト２４０ｇを加えて１０分間超音波分散を行い、この浴中に幅１０ｃｍの清浄布（ウールモスリン）を浸し、汚染後風乾して汚染布とする。この汚染布を１０ｃｍ×１０ｃｍに裁断し、洗浄試験に供した。
【００５６】
なお、有機汚垢の組成は、綿実油４４．８％、コレステロール１０．８％、オレイン酸１０．８％、パルミチン酸７．８％、セチルアルコール２．０％、固形パラフィン５．１％、流動パラフィン５．１％（合計８６．４％）であり、カーボンペーストの組成は旭カーボンブラック０．２％、綿実油１３．４％（合計１３．６％）である。ここで、％は、有機汚垢とカーボンペーストの混合物における割合である。
【００５７】
・洗浄処理
（株）上島製作所製のTerg-O-Tometerを使用し、これに上記で調製した人工汚垢布５枚を入れ、１０ｒ／ｍｉｎ、２０℃の水道水に表１に示した組成の洗浄剤組成物を濃度０．１３質量％になるような条件で添加して得られた洗剤水溶液１Ｌを用いて１０分間洗浄した。
【００５８】
・洗浄性能評価
洗浄後の汚垢布反射率を測定し（λ＝５５０μｍ）、次式により洗浄率を計算し、下記の基準で評価した。
【００５９】
【数１】
2004204157.tif 000007
【００６０】
○：洗浄率４０％以上
△：洗浄率２０％以上４０％未満
×：洗浄率２０％未満
【００６１】
【表１】
2004204157.tif 000008
【００６２】
注）
（ａ）成分
・ノニオン１：炭素数１０〜１４の直鎖第１級アルコールにＥＯを平均１２モル付加させたもの
・ノニオン２：炭素数１０〜１４の第２級アルコールにＥＯを平均７モル付加させたもの
・ノニオン３：炭素数１０〜１４の第２級アルコールにＥＯを平均３モル付加させたもの
・ノニオン４：炭素数１０〜１４の直鎖第１級アルコールにＥＯを平均３モル、ＰＯを平均２モル、ＥＯを平均で５モルの順にブロック付加させたもの
（ｄ）成分
・アミノ変性シリコーン１：一般式(II)中のＲ及びＲ5がメチル基、Ｄが（イ）−（ＣＨ2）3−ＮＨ−ＣＯ−ＣＨ2−Ｏ−（Ｃ2Ｈ4Ｏ）5−Ｃ12Ｈ25及び（ロ）−（ＣＨ2）3−ＮＨ2の混合基で、（イ）／（ロ）＝７／３（モル比）であり、Ｅが−（ＣＨ2）3−Ｏ−（Ｃ2Ｈ4Ｏ）10−ＣＨ3、ｅ＝３００、ｆ＝７、ｇ＝４の化合物
・アミノ変性シリコーン２：一般式(II)中のＲ及びＲ5がメチル基、Ｄが（イ）−（ＣＨ2）3−ＮＨ−ＣＯ−ＣＨ2−Ｏ−（Ｃ2Ｈ4Ｏ）5−Ｃ12Ｈ25、Ｅが−ＣＨ3、ｅ＝３００、ｆ＝７、ｇ＝４の化合物
・アミノ変性シリコーン３：一般式（Ｉ）中のＲ及びＲ1がメチル基、Ａが−（ＣＨ2）3−ＮＨ−（ＣＨ2）3−ＮＨ−ＣＯ−（ＣＨ2）2−（Ｃ2Ｈ4Ｏ）3−Ｃ10Ｈ21で、分子量１４０００、アミン当量４６７０の化合物
（ｆ）成分
・カルボン酸系ポリマー１：ペンテン／マレイン酸コポリマー（モル比５０／５０、平均分子量１万）
（ａ）成分以外の界面活性剤
・カチオン１：炭素数１６〜１８のモノ長鎖アルキルトリメチルアンモニウムクロリド
・ＬＡＳ：炭素数１０〜１４の直鎖アルキルベンゼンスルホン酸
（ｅ）成分
・ＰＥＧ１：ポリエチレングリコール（平均分子量１０００）